(57)【要約】【課題】ＩＣカードを所持していない人であっても、ＩＣカードの所持者の操作によってゲートを通過することができるゲート装置を提供する。【解決手段】ゲート装置１は、入居者２に所持されたＩＣカード３から入場要求信号を受信した時、入場要求信号に基づいてゲートの開閉を制御する。赤外線センサ１３は、人がゲートを通過して入場したことを検出する。テンキー１２は、入居者２の操作によって、通過人数を入力する。リーダ１１が、ＩＣカード３から入場要求信号を受信した時、制御部１０は、入場要求信号に基づいてフラッパー１４を開放するか否かを判定する。フラッパー１４を開放すると判定された時、フラッパー１４を開放し、赤外線センサ１３が検出した人の通過の回数がテンキー１２によって入力された通過人数に達した時、フラッパー１４を閉鎖する。【選択図】    図１
2006079173.tif 000002
【特許請求の範囲】
【請求項１】
ゲートの開閉によって人の通過を制御するゲート装置において、
通過人数を入力する入力手段と、
人が前記ゲートを通過して入場したことを検出する検出手段と、
一意に識別可能な識別情報を受信し、受信した前記識別情報が予め設定されている識別情報に一致するか否かを判定する判定手段と、
前記判定手段によって前記識別情報が予め設定されている識別情報に一致すると判定された場合に、前記ゲートを開放するとともに、前記検出手段が検出した前記人の通過回数が前記入力手段によって入力された前記通過人数に達した場合に、前記ゲートを閉鎖するゲート開閉手段と、
を備えたことを特徴とするゲート装置。
【請求項２】
一意に識別可能な識別情報が付与され、携帯可能な情報記憶媒体から前記識別情報を受信して、前記識別情報に基づいてゲートの開閉を制御するゲート装置において、
通過人数を入力する入力手段と、
人が前記ゲートを通過して入場したことを検出する入場検出手段と、
前記情報記憶媒体から前記識別情報を受信し、受信した前記識別情報が予め設定されている識別情報に一致するか否かを判定する判定手段と、
前記判定手段によって前記識別情報が予め設定されている識別情報に一致すると判定された場合に、前記ゲートを開放するとともに、前記入場検出手段が検出した前記人の通過回数が前記入力手段によって入力された前記通過人数に達した場合に、前記ゲートを閉鎖するゲート開閉手段と、
を備えたことを特徴とするゲート装置。
【請求項３】
前記識別情報に対応付けて入場を許可するか否かの情報を記憶する第１の記憶手段を備え、
前記判定手段は、
前記情報記憶媒体から前記識別情報を受信し、受信した前記識別情報に基づいて前記第１の記憶手段から入場を許可するか否かの情報を読み出し、許可されている場合には、前記ゲートを開放すると判定し、入場が許可されていない場合には、前記ゲートを開放しないと判定することを特徴とする請求項２に記載のゲート装置。
【請求項４】
電子メールを送信する電子メール送信手段と、
前記識別情報に対応付けて前記電子メールの送信先アドレスとメッセージ情報を記憶する第２の記憶手段と、を備え、
前記ゲート開閉手段は、
前記ゲートを開放すると判定された場合に、前記識別情報が前記第２の記憶手段に登録されている場合には、前記識別情報に対応付けられた前記送信先アドレスと前記メッセージ情報を読み出し、
前記電子メール送信手段は、
前記ゲート開閉手段が読み出した前記送信先アドレスと前記メッセージ情報に基づいて作成した前記電子メールを送信することを特徴とする請求項２または３のいずれか１つに記載のゲート装置。
【請求項５】
メッセージデータを音声信号に変換して音声を出力する音声出力手段と、
前記識別情報に対応付けてメッセージ情報を記憶する第３の記憶手段と、を備え、
前記ゲート開閉手段は、
前記ゲートを開放すると判定された場合に、前記識別情報が前記第３の記憶手段に登録されている場合には、前記識別情報に対応付けられた前記メッセージ情報を読み出し、
前記音声出力手段は、
前記ゲート開閉手段が読み出した前記メッセージ情報に基づいて音声を出力することを特徴とする請求項２乃至４のいずれか１つに記載のゲート装置。
【請求項６】
ゲート管理者の操作によって、通過人数とゲート開放指示を入力する管理者用入力手段を備え、
前記ゲート開閉手段は、
前記管理者用入力手段によって前記ゲート開放指示が入力された場合に、前記ゲートを開放し、前記入場検出手段が検出した前記人の通過の回数が前記管理者用入力手段によって入力された前記通過人数に達した場合に、前記ゲートを閉鎖することを特徴とする請求項２乃至５のいずれか１つに記載のゲート装置。
【請求項７】
前記人が前記ゲートを通過して退場したことを検出する退場検出手段と、
前記入場検出手段が検出した入場者をカウントする第１のカウント手段と、
前記退場検出手段が検出した退場者をカウントする第２のカウント手段と、
前記第１のカウント手段が検出した入場者数から前記第２のカウント手段が検出した退場者数を減算した残人数を内部の記憶領域に登録する登録手段と、
参照指示に基づいて前記内部の記憶領域に記憶されている前記残人数を出力する出力手段と、
を備えたことを特徴とする請求項２乃至６のいずれか１つに記載のゲート装置。
【請求項８】
一意に識別可能な識別情報が付与され、携帯可能な情報記憶媒体から前記識別情報を受信して、前記識別情報に基づいてゲートの開閉を制御するゲート装置におけるゲート制御方法であって、
通過人数を入力する過程と、
人が前記ゲートを通過して入場したことを検出する入場検出手段と、
前記情報記憶媒体から前記識別情報を受信し、受信した前記識別情報が予め設定されている識別情報に一致するか否かを判定する過程と、
前記識別情報が予め設定されている識別情報に一致すると判定された場合に、前記ゲートを開放するとともに、前記入場検出手段が検出した前記人の通過回数が前記入力手段によって入力された前記通過人数に達した場合に、前記ゲートを閉鎖する過程と、
からなることを特徴とするゲート制御方法。
【請求項９】
一意に識別可能な識別情報が付与され、携帯可能な情報記憶媒体から前記識別情報を受信して、前記識別情報に基づいてゲートの開閉を制御するゲート装置のコンピュータを、
通過人数を入力する入力手段、
人が前記ゲートを通過して入場したことを検出する入場検出手段、
前記情報記憶媒体から前記識別情報を受信して、前記識別情報が予め設定されている識別情報に一致するか否かを判定する判定手段、
前記判定手段によって前記識別情報が予め設定されている識別情報に一致すると判定された場合に、前記ゲートを開放するとともに、前記入場検出手段が検出した前記人の通過回数が前記入力手段によって入力された前記通過人数に達した場合に、前記ゲートを閉鎖するゲート開閉手段、
として機能させるためのコンピュータプログラム。
【発明の詳細な説明】
【技術分野】
【０００１】
本発明は、例えば、オフィスビルの入口に設置され、人が所持するＩＣカード等を認識し、フラッパーの開閉により人の入退場を管理するゲート装置及びゲート制御方法並びにコンピュータプログラムに関する。
【背景技術】
【０００２】
従来、フラッパーを備えたゲート装置は、交通機関や公共施設などで人の入退場を管理するために広く利用されている。ゲート装置のゲート開閉制御は、個々の人に予め配布されているＩＣ（Ｉｎｔｅｇｒａｔｅｄ  Ｃｉｒｃｕｉｔ）カードや磁気カードなどを認証することによって行う。例えば、最初にＩＣカードを所持している人がゲート装置に接近し、ＩＣカードをゲート装置のカードリーダにかざす。そのとき、ゲート装置はカードリーダを介して識別情報を読み出し、読み出した識別情報がゲート装置の内部に予め登録されている識別情報に一致する場合にはゲートを開放して人を通過させ、通過後にゲートを閉じるといった構成で実現されている。
一方、市場においては、来客等が頻繁に出入りするオフィスビルやマンションなどの集合住宅においてもセキュリティの観点から上記のようなゲート装置を利用したいという要望がある。
【発明の開示】
【発明が解決しようとする課題】
【０００３】
しかしながら、従来の技術では、１人が通過したら常にゲートが閉鎖されるため、ゲートを通過する人すべてが上記のＩＣカードや磁気カード等の情報記憶媒体を所持しなければならない。そのためには、来客者用の情報記憶媒体の準備、来客者全てに情報記憶媒体を貸し出し、退出時に回収するといった情報記憶媒体の管理を伴うという問題がある。
【０００４】
本発明は、上記問題を解決するためになされたもので、その目的は、情報記憶媒体を所持していない人であっても、情報記憶媒体の所持者の操作によってゲートを通過することができるゲート装置を提供することにある。
【課題を解決するための手段】
【０００５】
上述した課題を解決するために、本発明は、ゲート（フラッパー１４）の開閉によって人の通過を制御するゲート装置（ゲート装置１）において、通過人数を入力する入力手段（テンキー１２、テンキー入出力部２２）と、人が前記ゲートを通過して入場したことを検出する検出手段（赤外線センサ１３、赤外線センサ制御部２３）と、一意に識別可能な識別情報を受信し、受信した前記識別情報が予め設定されている識別情報に一致するか否かを判定する判定手段（情報処理部２５）と、前記判定手段によって前記識別情報が予め設定されている識別情報に一致すると判定された場合に、前記ゲートを開放するとともに、前記検出手段が検出した前記人の通過回数が前記入力手段によって入力された前記通過人数に達した場合に、前記ゲートを閉鎖するゲート開閉手段（情報処理部２５、フラッパー制御部２４）と、を備えたことを特徴とするゲート装置である。
【０００６】
本発明は、一意に識別可能な識別情報が付与され、携帯可能な情報記憶媒体（ＩＣカード３）から前記識別情報を受信して、前記識別情報に基づいてゲートの開閉を制御するゲート装置（ゲート装置１）において、通過人数を入力する入力手段（テンキー１２、テンキー入出力部２２）と、人が前記ゲートを通過して入場したことを検出する入場検出手段（赤外線センサ１３、赤外線センサ制御部２３）と、前記情報記憶媒体から前記識別情報を受信し、受信した前記識別情報が予め設定されている識別情報に一致するか否かを判定する判定手段（情報処理部２５）と、前記判定手段によって前記識別情報が予め設定されている識別情報に一致すると判定された場合に、前記ゲートを開放するとともに、前記入場検出手段が検出した前記人の通過回数が前記入力手段によって入力された前記通過人数に達した場合に、前記ゲートを閉鎖するゲート開閉手段（情報処理部２５、フラッパー制御部２４）と、を備えたことを特徴とするゲート装置である。
【０００７】
本発明は、上記の発明において、前記識別情報に対応付けて入場を許可するか否かの情報を記憶する第１の記憶手段（個人情報ＤＢ２６）を備え、前記判定手段は、前記情報記憶媒体から前記識別情報を受信し、受信した前記識別情報に基づいて前記第１の記憶手段から入場を許可するか否かの情報を読み出し、許可されている場合には、前記ゲートを開放すると判定し、入場が許可されていない場合には、前記ゲートを開放しないと判定することを特徴とする。
【０００８】
本発明は、上記の発明において、電子メールを送信する電子メール送信手段（メール送信制御部２８）と、前記識別情報に対応付けて前記電子メールの送信先アドレスとメッセージ情報を記憶する第２の記憶手段（メールメッセージＤＢ２７）と、を備え、前記ゲート開閉手段は、前記ゲートを開放すると判定された場合に、前記識別情報が前記第２の記憶手段に登録されている場合には、前記識別情報に対応付けられた前記送信先アドレスと前記メッセージ情報を読み出し、前記電子メール送信手段は、前記ゲート開閉手段が読み出した前記送信先アドレスと前記メッセージ情報に基づいて作成した前記電子メールを送信することを特徴とする。
【０００９】
本発明は、上記の発明において、メッセージデータを音声信号に変換して音声を出力する音声出力手段（音声発生器制御部３１、音声発生器１５）と、前記識別情報に対応付けてメッセージ情報を記憶する第３の記憶手段（音声メッセージＤＢ３０）と、を備え、前記ゲート開閉手段は、前記ゲートを開放すると判定された場合に、前記識別情報が前記第３の記憶手段に登録されている場合には、前記識別情報に対応付けられた前記メッセージ情報を読み出し、前記音声出力手段は、前記ゲート開閉手段が読み出した前記メッセージ情報に基づいて音声を出力することを特徴とする。
【００１０】
本発明は、上記の発明において、ゲート管理者の操作によって、通過人数とゲート開放指示を入力する管理者用入力手段（実施形態におけるインターホンのモニタに備えられたテンキー）を備え、前記ゲート開閉手段は、前記管理者用入力手段によって前記ゲート開放指示が入力された場合に、前記ゲートを開放し、前記入場検出手段が検出した前記人の通過の回数が前記管理者用入力手段によって入力された前記通過人数に達した場合に、前記ゲートを閉鎖することを特徴とする。
【００１１】
本発明は、上記の発明において、前記人が前記ゲートを通過して退場したことを検出する退場検出手段（赤外線センサ１３、赤外線センサ制御部２３）と、前記入場検出手段が検出した入場者をカウントする第１のカウント手段（情報処理部２５）と、前記退場検出手段が検出した退場者をカウントする第２のカウント手段（情報処理部２５）と、前記第１のカウント手段が検出した入場者数から前記第２のカウント手段が検出した退場者数を減算した残人数を内部の記憶領域に登録する登録手段（情報処理部２５）と、参照指示に基づいて前記内部の記憶領域に記憶されている前記残人数を出力する出力手段（情報処理部２５）と、を備えたことを特徴とする。
【００１２】
本発明は、一意に識別可能な識別情報が付与され、携帯可能な情報記憶媒体から前記識別情報を受信して、前記識別情報に基づいてゲートの開閉を制御するゲート装置におけるゲート制御方法であって、通過人数を入力する過程と、人が前記ゲートを通過して入場したことを検出する入場検出手段と、前記情報記憶媒体から前記識別情報を受信し、受信した前記識別情報が予め設定されている識別情報に一致するか否かを判定する過程と、前記識別情報が予め設定されている識別情報に一致すると判定された場合に、前記ゲートを開放するとともに、前記入場検出手段が検出した前記人の通過回数が前記入力手段によって入力された前記通過人数に達した場合に、前記ゲートを閉鎖する過程と、からなることを特徴とするゲート制御方法である。
【００１３】
本発明は、一意に識別可能な識別情報が付与され、携帯可能な情報記憶媒体から前記識別情報を受信して、前記識別情報に基づいてゲートの開閉を制御するゲート装置のコンピュータを、通過人数を入力する入力手段、人が前記ゲートを通過して入場したことを検出する入場検出手段、前記情報記憶媒体から前記識別情報を受信して、前記識別情報が予め設定されている識別情報に一致するか否かを判定する判定手段、前記判定手段によって前記識別情報が予め設定されている識別情報に一致すると判定された場合に、前記ゲートを開放するとともに、前記入場検出手段が検出した前記人の通過回数が前記入力手段によって入力された前記通過人数に達した場合に、前記ゲートを閉鎖するゲート開閉手段、として機能させるためのコンピュータプログラムである。
【発明の効果】
【００１４】
この発明によれば、ゲート装置は、通過人数を入力する入力手段と、人がゲートを通過して入場したことを検出する検出手段と、を備えている。そして、ゲート装置は、一意に識別可能な識別情報を受信し、受信した識別情報が予め設定されている識別情報に一致するか否かを判定する。一致すると判定された場合には、ゲートを開放するとともに、検出手段によって検出された人の通過回数が入力手段によって入力された通過人数に達した時、ゲートを閉鎖する構成となっている。そのため、ゲートを通過することが許可されている人については複数人を一度に通過させることが可能となる。
【００１５】
また、本発明によれば、ゲート装置は、通過人数を入力する入力手段と、人がゲートを通過して入場したことを検出する検出手段と、を備えている。そして、一意に識別可能な識別情報を情報記憶媒体から受信し、受信した識別情報が予め設定されている識別情報に一致するか否かを判定する。一致すると判定された場合には、ゲートを開放する。そして、検出手段によって検出された人の通過回数が入力手段によって入力された通過人数に達した時、ゲートを閉鎖する構成となっている。そのため、情報記憶媒体を携帯していない人であっても、情報記憶媒体を携帯する人の操作に基づいて開放されたゲートを一度に通過することができる。それによって、ゲートを通過して入場する人全てが情報記憶媒体を所持する必要がなく、例えば、情報記憶媒体を通過する１グループの各人に貸与して回収するといった管理作業を削減することが可能となる。
【００１６】
また、本発明によれば、ゲート装置は、情報記憶媒体に予め登録されている一意に識別可能な識別情報に対応付けて入場を許可するか否かの情報を内部の記憶領域に記憶している。そして、情報記憶媒体から識別情報を受信した場合に、受信した識別情報に基づいて内部の記憶領域から入場を許可するか否かの情報を読み出し、許可されている場合には、ゲートを開放すると判定し、入場が許可されていない場合には、ゲートを開放しないと判定する構成となっている。そのため、たとえ情報記憶媒体を所持する人であっても、入場が許可されていない情報記憶媒体の所持者に対してゲートを開放しないようにすることができる。それによって、例えば、情報記憶媒体の内部の情報が改ざんされてもセキュリティを保つことが可能となる。
【００１７】
また、本発明によれば、ゲート装置は、上記の識別情報に対応付けて電子メールの送信先アドレスとメッセージ情報を内部の記憶領域に記憶している。ゲートを開放する場合で、かつ受信した識別情報が内部の記憶領域に登録されている場合には、識別情報に対応付けられた送信先アドレスとメッセージ情報を読み出す。そして、読み出した送信先アドレスとメッセージ情報に基づいて作成した電子メールを送信する構成となっている。そのため、情報記憶媒体を所持する人がゲートを通過した時に、予め設定した端末装置や携帯電話端末のアドレスに対して電子メールを送信することが可能となる。それによって、例えば、子供が家に帰宅したときに、帰宅した旨を親に通知することが可能となる。
【００１８】
また、本発明によれば、ゲート装置は、上記の識別情報に対応付けてメッセージ情報を内部の記憶領域に記憶している。そして、ゲートを開放する場合で、かつ受信した識別情報が前記内部の記憶領域に登録されている場合には、識別情報に対応付けられたメッセージ情報を読み出す。そして、読み出した前記メッセージ情報に基づいて音声を出力する構成となっている。そのため、情報記憶媒体を所持する人がゲートを通過した時に、当該人に予め設定されたメッセージを音声で通知することが可能となる。それによって、例えば、外出する親が帰宅する子供に通知したいメッセージを設定しておくことによって、子供の帰宅時に当該メッセージを音声として伝えることができる。また、マンションなどの集合住宅で利用する環境においては、宅配便などが届いた場合に、管理人が預かっている場合や宅配ロッカーなどに収納されている場合に、入居者の帰宅時にその旨を音声で通知することが可能となる。
【００１９】
また、本発明によれば、ゲート装置は、ゲート管理者の操作によって、通過人数の入力とゲート開放指示を入力する管理者用入力手段を備えている。そして、管理者用入力手段によって通過人数とゲート開放指示が入力された場合に、ゲートを開放し、人の通過を検出した回数が入力された通過人数に達した時、ゲートを閉鎖する構成となっている。それによって、ゲート管理者が入場を許可する場合には、情報記憶媒体を所持していない人であってもゲート管理者の操作に基づいて開放されたゲートを通過することが可能となる。
【００２０】
また、本発明によれば、ゲート装置は、ゲートを通過して入場する入場者をカウントし、また、ゲートを通過して退場する退場者をカウントする。そして、入場者数から退場者数を減算した残人数を内部の記憶領域に登録し、登録した残人数を出力する構成となっている。そのため、例えば、住居の出入口にゲート装置を設置したとき、住居内に存在する人数を内部の記憶領域を参照することで確認することが可能となる。それによって、例えば、ゲート装置にエアコンやテレビなどの家電装置を制御する構成を加えることで、住居内に誰もいなくなった場合には家電装置を停止し、誰もいない状態から入居者の入場を検出した時は、家電装置を起動するといった制御を行うことが可能となる。また、マンションなどの集合住宅で利用する環境においては、火災や地震などの災害発生時に、居住者と来客者などをふくめて何人が存在するかを把握することが可能となり、迅速な災害への対応が可能になる。
【発明を実施するための最良の形態】
【００２１】
以下、本発明の一実施形態によるゲート装置を図面を参照して説明する。
図１は、本実施形態によるゲート装置１と、上述した情報記憶媒体に該当するＩＣカード３とによる構成を示した図である。同図において、ゲート装置１は、例えば、住居の出入口に設置され、当該住居の入居者２が所持するＩＣカード３を認識し、入居者２の入退場を管理する。
【００２２】
ゲート装置１において、フラッパー１４は開閉によって入居者２の入退場を制限する。赤外線センサ１３は、入場を検出するセンサと退場を検出するセンサから構成されており、入居者２が入場したか退場したか否かを検出する。リーダ１１は、一定の時間間隔で無線電波を送信している。そして、入居者２がリーダ１１にＩＣカード３をかざした時、ＩＣカード３がリーダ１１から発信された無線信号を受信して応答する無線信号を受信する。テンキー１２は、複数人が通過する際に、入居者２の操作を受け、自らを人数に含めた通過人数を入力する。制御部１０は、リーダ１１からＩＣカード３を認識した情報やテンキー１２から受信した通過人数の情報や赤外線センサ１３が検出した情報を受信する。また、それらの受信した情報に基づいてフラッパー１４の開閉を制御する。
【００２３】
ＩＣカード３は内部に記憶回路を備えており、一意に識別可能なＩＤ情報を記憶しており、リーダ１１からの無線信号を受信して、ＩＤ情報を含む無線信号を送信する。
【００２４】
図２は、本実施形態によるゲート装置１の内部構成とそれに接続する装置を示すブロック図である。
ゲート装置１において、リーダ１１、テンキー１２、赤外線センサ１３及びフラッパー１４については図１と同様であるため説明は省略する。
制御部１０において、リーダ制御部２１は、リーダ１１を介してリーダ１１が受信した無線信号に含まれるＩＤ情報を読み出す。テンキー入出力部２２は、テンキー１２を介して入居者２から通過人数の情報を受信し、また、制御部１０内での処理に異常があった場合にゲート装置１に備え付けられた警告灯を点灯させる。赤外線センサ制御部２３は、赤外線センサ１３が検出した入居者２が入場したか退場したかの情報を受信する。フラッパー制御部２４はフラッパー１４の開閉を制御する。
【００２５】
個人情報データベース（以下、ＤＢと略す）２６は、ＩＣカード３が記憶しているＩＤ情報に対応付けて当該ＩＤ情報のＩＣカード３を所持する入居者２が入場を許可されているか否かの情報を記憶する。また、同じくＩＤ情報に対応付けて入居者２の入退場時に行うメール送信、音声発生、家電制御を行うか否かの情報を記憶している。
【００２６】
情報処理部２５は、リーダ制御部２１が受信したＩＣカード３が記憶しているＩＤ情報に対応する通過が許可されているか許可されていないかの許可情報を個人情報ＤＢ２６から読み出し、入場が許可されている時はフラッパー制御部２４に入場時開放信号を送信しフラッパー１４を入場方向へ開放させる。また、情報処理部２５は、退場時において、入居者２が退場する方向でゲート装置１に近づいたことを赤外線センサ１３により受信した場合には、フラッパー制御部２４に退場時開放信号を送信しフラッパー１４を退場方向へ開放させる。また、情報処理部２５は、テンキー入出力部２２から通過人数の情報を受信する。また、情報処理部２５は、赤外線センサ制御部２３が検出した入居者２が入場したか退場したかの情報を受信する。また、さらに、情報処理部２５は、赤外線センサ制御部２３から受信した入場者数と退場者をカウントしており、住居内に存在する人数を内部のメモリに記憶している。
【００２７】
メールメッセージＤＢ２７は、ＩＤ情報に対応付けて電子メールを送信する送信先アドレスとメッセージ情報を記憶している。メール送信制御部２８は、インターネット５０に接続しており、情報処理部２５からＩＤ情報を含むメール送信指示を受信した時、メールメッセージＤＢ２７から送信先アドレスとメッセージ情報を読み出して、端末装置５１や携帯電話端末５２に電子メールを送信する。
【００２８】
音声メッセージＤＢ３１は、ＩＤ情報に対応付けて音声として出力するためのメッセージ情報を記憶している。音声発生器１５は、例えばスピーカーであり、音声信号を音に変換して出力する。音声発生器制御部３１は、音声発生器１５に接続しており、情報処理部２５からＩＤ情報を含む音声発生指示を受信し、音声メッセージＤＢ３１からＩＤ情報に対応するメッセージ情報を受信し、メッセージ情報に基づいて音声信号を生成し、当該音声信号を音声発生器１５に音として出力させる。
【００２９】
家電制御部２９は、住居内のエアコン６１やテレビ６２などの家電装置６０に接続している。そして、誰も住居内に存在しない状態に入居者２の入場を検出した情報を情報処理部２５から受信した場合には、起動信号を家電装置６０に送信し家電装置６０の電源をＯＮにする。また、全ての入居者２が退場したことを情報処理部２５から受信した場合には、停止信号を家電装置６０に送信して家電装置６０の電源をＯＦＦにする。
【００３０】
図３は、個人情報ＤＢ２６のデータ構成を示した図である。
この図において、ＩＤにはＩＣカード３が記憶しているＩＤ情報が設定される。許可状態には、ＩＤ情報に対応するＩＣカード３を所持する人が通過を許可されているか否かの情報が設定される。コマンドには、入居者２の入場時に音声出力をするか、メール送信をするかなどの指示情報が設定される。
【００３１】
図４は、メールメッセージＤＢ２７のデータ構成を示した図である。
この図において、ＩＤにはＩＤ情報が設定される。アドレスには送信先アドレス情報が設定される。送信データには、電子メールで送信するメッセージ情報が設定される。
ここで、アドレスとメッセージ情報は、当該ＩＤ情報のＩＣカード３の所持者から書き込み権限を与えられている人であれば、端末等によって書き込みや変更を行うことも可能である。
【００３２】
図５は、音声メッセージＤＢ３０のデータ構成を示した図である。
この図において、ＩＤにはＩＤ情報が設置される。出力データには音声発生器制御部３１を介して音声発生器１５に音声を発生させるためのメッセージ情報が設定される。
ここで、メッセージ情報は当該ＩＤ情報のＩＣカード３の所持者から書き込み権限を与えられている人であれば、端末等によって書き込みや変更を行うことも可能である。
【００３３】
図６は、ＩＣカード３の所持者と共に複数人がゲート装置１を通過して入場する場合の処理を示したフローチャートである。図中の処理において、二重線で囲まれたステップＳａ１、Ｓａ２、Ｓａ３、Ｓａ９の処理は人によって行われる処理である。それ以外の処理はゲート装置１によって行われる処理である。
まず最初に、入居者２が、テンキー１に通過人数を入力し（ステップＳａ１）、テンキー１２上の確定ボタンを押下する（ステップＳａ２）。そして、入居者２がリーダ１１にＩＣカード３をかざす（ステップＳａ３）。ＩＣカード３は、リーダ１１から受信した無線信号に応答して、ＩＤ情報を含む無線信号を発信する。リーダ１１は、ＩＣカード３から発信された無線信号を受信し、リーダ制御部２１に送信する。リーダ制御部２１は、無線信号に含まれているＩＤ情報を読み出し、情報処理部２５に送信する。情報処理部２５は、受信したＩＤ情報に対応する入場の許可状態を個人情報ＤＢ２６の許可状態を参照して判定する（ステップＳａ４）。入場が許可されていない場合にはゲート装置１に備え付けられた警告灯を点灯させる（ステップＳａ５）。
【００３４】
入場が許可されている場合には、次に、情報処理部２５は、個人情報ＤＢ２６からＩＤ情報に対応するコマンドの情報を読み出す。そして、コマンドに音声出力をする設定がされているか否かを判定する（ステップＳａ６）。音声出力をする設定がされている場合には、情報処理部２５は、音声メッセージＤＢ３０からＩＤ情報に対応するメッセージ情報を読み出し、音声発生器制御部３１を介して音声発生器１５に音声を発生させる。発生させるメッセージとしては、例えば、母親が外出する際に、子供が帰宅したときに知らせたい情報等を登録しておくことで、子供の帰宅時に当該メッセージを音声として伝えることができる（ステップＳａ７）。
【００３５】
次に、入場が許可されている場合には、情報処理部２５は、フラッパー制御部２４に開放指示を送信してフラッパー１４を開放させると共に、ゲート装置１に備え付けられた通過を許可することを示すＯＫランプを点灯させる（ステップＳａ８）。そして、入居者２が入場する。情報処理部２５は赤外線センサ１３が検出した入場者の通過人数をカウントし、通過人数テンキー１２から入力された通過人数分が通過するまでフラッパー１４を開放し続ける（ステップＳａ９）。
【００３６】
次に、情報処理部２５は、個人情報ＤＢ２６から読み出したコマンドにメール送信を行う設定がされているか否かを判定する（ステップＳａ１０）。メール送信を行う設定がされている場合には、メールメッセージＤＢ２７から、ＩＤ情報に対応する送信先アドレスと送信データを読み出し、インターネット５０を介して電子メールを送信する（ステップＳａ１１）。次に、家電制御部２９は、家電制御処理を行う。家電制御処理とは、家電制御部２９によって行われる家電装置６０のＯＮとＯＦＦを制御する処理である。最初に、家電制御部２９は、情報処理部２５がカウントした入場者数に基づいて内部のメモリに記憶している住居内の現存在人数に入場者数を加算する。そして、誰も住居内に存在しない状態に入居者２の入場を検出した場合には、ＯＮの指示信号を家電装置６０に送信し家電装置６０の電源をＯＮにする。また、全ての入居者２が退場した場合には、電源ＯＦＦの指示信号を家電装置６０に送信して家電装置６０の電源をＯＦＦにする（ステップＳａ１２）。そして、最後に情報処理部２５は、フラッパー制御部２４に閉鎖指示を送信しフラッパー１４を閉鎖させる（ステップＳａ１３）。
【００３７】
図７は、ＩＣカード３の所持者だけがゲート装置１を通過して入場する場合の処理を示したフローチャートである。図中の処理において、二重線で囲まれたステップＳｂ１、Ｓｂ７の処理は人によって行われる処理である。それ以外の処理はゲート装置１によって行われる処理である。
まず最初に、入居者２が、リーダ１１にＩＣカード３をかざす（ステップＳｂ１）。ＩＣカード３は、リーダ１１から受信した無線信号に応答して、ＩＤ情報を含む無線信号を発信する。リーダ１１は、ＩＣカード３から発信された無線信号を受信し、リーダ制御部２１に送信する。リーダ制御部２１は、無線信号に含まれているＩＤ情報を読み出し、情報処理部２５に送信する。情報処理部２５は、受信したＩＤ情報に対応する入場の許可状態を個人情報ＤＢ２６から読み出して判定する（ステップＳｂ２）。入場が許可されていない場合には警告灯を点灯させる（ステップＳｂ３）。
【００３８】
入場が許可されている場合には、次に、個人情報ＤＢ２６からＩＤ情報に対応するコマンドの情報を読み出す。コマンドに音声出力をする設定がされているか否かを判定する（ステップＳｂ４）。音声出力をする設定がされている場合には、音声メッセージＤＢ３０からＩＤ情報に対応するメッセージ情報を読み出し、音声発生器制御部３１を介して音声発生器１５に音声を発生させる（ステップＳｂ５）。
【００３９】
次に、入場が許可されている場合には、情報処理部２５は、フラッパー制御部２４に開放指示を送信してフラッパー１４を開放させると共に、ゲート装置１に備え付けられた通過を許可することを示すＯＫランプを点灯させる（ステップＳｂ６）。そして、ＩＣカード３の所持者がゲート装置１を通過する。その際、情報処理部２５は赤外線センサ１３がＩＣカード３の所持者の入場を検出するまでフラッパー１４を開放する（ステップＳｂ７）。
【００４０】
次に、情報処理部２５は、個人情報ＤＢ２６から読み出したコマンドにメール送信を行う設定がされているか否かを判定する（ステップＳｂ８）。メール送信を行う設定がされている場合には、メールメッセージＤＢ２７から、ＩＤ情報に対応する送信先アドレスと送信データを読み出し、インターネット５０を介して電子メールを送信する（ステップＳｂ９）。次に、図６で説明した処理と同じ家電制御処理を行う（ステップＳｂ１０）。そして、最後に情報処理部２５は、フラッパー制御部２４に閉鎖指示を送信しフラッパー１４を閉鎖させる（ステップＳｂ１１）。
【００４１】
図８は、テンキー１２がゲート装置１の制御部１０に備え付けられているものの他に、通信線を用いて制御部１０と接続し、住居内のインターホンのモニター側に備えられている場合を想定した処理である。本処理では、来客者がインターホンのドアホン側のボタンを押下し、住居内にいる人を呼び出した際に、住居内の人が通過人数をテンキー１２から押下して来客者を入場させることを目的としている。図中の処理において、二重線で囲まれたステップＳｃ１、Ｓｃ２、Ｓｃ３、Ｓｃ５の処理は人によって行われる処理である。それ以外の処理はゲート装置１によって行われる処理である。
【００４２】
まず最初に、来客者がインターホンで居住者を呼び出す（ステップＳｃ１）。インターホンの鳴動を聴いた居住者は、インターホンのモニターで来客者を確認する（ステップＳｃ２）。居住者がモニターに備え付けられたテンキー１２に通過人数を入力し、確定ボタンを押下する。情報処理部２５は、インターホンのモニターに備え付けられたテンキー１２からの情報であることを認識し、ＩＣカード３から情報を受信することなく開放指示をフラッパー制御部２４に送信しフラッパー１４を開放すると共に、ゲート装置１のＯＫランプを点灯させる（ステップＳｃ４）。そして、入場者が通過する。情報処理部２５は赤外線センサ１３が検出した入場者の通過人数をカウントし、通過人数テンキー１２から入力された通過人数分が通過するまでフラッパー１４を開放し続ける（ステップＳｃ５）。
【００４３】
次に、上述した家電制御の処理をする。ここでは、既に住居内に居住者がいるため、情報処理部２５がカウントした入場者数に基づいて内部のメモリに記憶している住居内の現存在人数に入場者数を加算する（ステップＳｃ６）。そして、最後に情報処理部２５は、フラッパー制御部２４に閉鎖指示を送信しフラッパー１４を閉鎖させる（ステップＳａ１３）。
【００４４】
なお、上述した実施形態では、リーダ１１は、無線信号によりＩＣカード３を非接触でＩＣカード３から情報を受信するものに限られず、例えば磁気カードが挿入されることによって情報を受信する接触型の装置であってもよい。
また、上述した実施形態では、住居においてゲート装置１を利用する構成としていたが、この構成に限られるものではなく、例えば、マンションやオフィスビルなどの出入口にゲート装置を設置し、個人情報データベース２６に、部屋番号やフロア番号などをＩＤ情報に対応付けて記憶しておくことで、部屋番号やフロア番号ごとに電源管理や在室管理などを行うことが可能となる。
また、上述した個人情報ＤＢ２６において、家電制御処理を行うか否かの情報を設定するようにしてもよく、その場合には、家電制御処理において、個人情報ＤＢ２６を参照し、個人情報ＤＢ２６に家電制御処理を行う設定がされている場合にのみ、現存在人数の更新を行い、家電装置６０の電源をＯＮあるいはＯＦＦすることとなる。
また、上述した実施形態では、入場を検出するセンサと退場を検出するセンサから構成されるとしていたが、例えば、赤外線センサ１３が２つのセンサから構成される場合には、入場側のセンサが先に反応して退場側のセンサが後に反応した時には入場したとして検出し、逆の場合には退場したとして検出するようにしてもよい。
また、上述した実施形態では、入場用のゲート装置と退場用のゲート装置の２つのゲートゲート装置を設けて、入場と退場を検出するようにしてもよい。その時、ゲート装置は一方向のみを検出すればよいため、赤外線センサ１３は１つのセンサのよって構成されるようにしてもよい。
また、上述した実施形態では、ゲート装置１において、人を識別する際に、情報記憶媒体を用いずに、当該人の指紋や静脈流によって本人を同定する認証装置を利用するようにしてもよい。
【００４５】
上述のゲート装置１は内部に、コンピュータシステムを有している。そして、上述したフラッパー制御等の処理過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【図面の簡単な説明】
【００４６】
【図１】本実施形態によるゲート装置及びＩＣカードからなる構成を示したブロック図である。
【図２】同実施形態におけるゲート装置の内部構成を示したブロック図である。
【図３】同実施形態における個人情報データベースのデータ構成を示した図である。
【図４】同実施形態におけるメールメッセージデータベースのデータ構成を示した図である。
【図５】同実施形態における音声メッセージデータベースのデータ構成を示した図である。
【図６】同実施形態における複数人がゲート装置を通過して入場する場合の処理を示したフローチャートである。
【図７】同実施形態におけるＩＣカードの所持者のみがゲート装置を通過して入場する場合の処理を示したフローチャートである。
【図８】同実施形態における住居内の人が住居内に設置されたテンキーを操作して複数人を入場させる場合の処理を示したフローチャートである。
【符号の説明】
【００４７】
１  ゲート装置
２  入居者
３  ＩＣカード
１０  制御部
１１  リーダ
１２  テンキー
１４  フラッパー
【図１】
2006079173.tif 000003
【図２】
2006079173.tif 000004
【図３】
2006079173.tif 000005
【図４】
2006079173.tif 000006
【図５】
2006079173.tif 000007
【図６】
2006079173.tif 000008
【図７】
2006079173.tif 000009
【図８】
2006079173.tif 000010